(57)【要約】【課題】  小型で且つ低コストであると共に強度の高いサブロック装置を提供する。【解決手段】  本発明のサブロック装置１において、ストッパー９は、上見込み壁３７及び下見込み壁３９に室内外方向に長い係止溝４１を有し、ケース１１は係止溝４１に入り込む係止突起３１を有し、ストッパー９の引戸開閉方向における他方側端部３４をケース１１内に没することにより一方側端部３３がケース１１から室内側に突出したときに、一方側端部３３が障子当接部になると共に係止突起３１が係止溝４１の室外側溝壁４５に当接する。【選択図】      図１
2006241871.tif 000002
【特許請求の範囲】
【請求項１】
ストッパーと、ケースと、軸とを備え、ケースは室内側に開口して内周側に上下左右の見込み壁を有するストッパー収納部を有し、ストッパーは外周側にケースの上下の見込み壁に対向する上下方向の見込み壁を有し、ストッパー収納部に配置するものであり、軸はストッパーの上下の見込み壁の引戸開閉方向の中間部と、ケースの上下の見込み壁の引戸開閉方向の中間部とを連結するものであり、ストッパー及びケースのいずれか一方は上見込み壁及び下見込み壁に室内外方向に長い係止溝を有し、他方は係止溝に入り込む係止突起を有し、ストッパーの引戸開閉方向における他方側端部をケース内に没することにより一方側端部がケースから室内側に突出したときに、一方側端部が障子当接部になると共に係止突起が係止溝の室外側溝壁に当接することを特徴とするサブロック装置。
【請求項２】
係止溝はストッパーの見込み壁に設けてあると共に係止突起はケースの見込み壁に設けてあり、ストッパーの見込み壁には係止溝に連続し且つストッパーの一方側端部に開口した引戸開閉方向に長い案内溝を有し、ストッパーをケース内に組み込むときに案内溝の開口を係止突起の挿入口としてあることを特徴とする請求項１に記載のサブロック装置。
【発明の詳細な説明】
【技術分野】
【０００１】
本発明は、引戸が開くのを制限するサブロック装置に関する。
【背景技術】
【０００２】
特許文献１には、ストッパーを引戸開閉方向の中間部を垂直軸でケース内に軸着して、ストッパーの他方側端部を指で没することにより一方側端部をケース外に突出自在に設けたサブロック装置が開示されている。
【０００３】
【特許文献１】特開平８−６８２４８号公報
【発明の開示】
【発明が解決しようとする課題】
【０００４】
しかし、特許文献１のサブロック装置では、引戸を開いたときに、ストッパーの一方側端部に戸が当ってストッパーが力を受けると、ストッパーが受けた力はストッパーをケースに軸着している垂直軸部分のみが受けるので、一箇所のみに力が集中して損傷しやすいという問題があった。
一方、サブロック装置の強度を高めるために、強度の高い構成部品を用いたのではコスト高になり、大型にしたのでは引戸全体の外観を損なうという問題がある。
【０００５】
そこで、本発明は、小型で且つ低コストであると共に強度の高いサブロック装置の提供を目的とする。
【課題を解決するための手段】
【０００６】
請求項１に記載の発明は、ストッパーと、ケースと、軸とを備え、ケースは室内側に開口して内周側に上下左右の見込み壁を有するストッパー収納部を有し、ストッパーは外周側にケースの上下の見込み壁に対向する上下方向の見込み壁を有し、ストッパー収納部に配置するものであり、軸はストッパーの上下の見込み壁の引戸開閉方向の中間部と、ケースの上下の見込み壁の引戸開閉方向の中間部とを連結するものであり、ストッパー及びケースのいずれか一方は上見込み壁及び下見込み壁に室内外方向に長い係止溝を有し、他方は係止溝に入り込む係止突起を有し、ストッパーの引戸開閉方向における他方側端部をケース内に没することにより一方側端部がケースから室内側に突出したときに、一方側端部が障子当接部になると共に係止突起が係止溝の室外側溝壁に当接することを特徴とする。
【０００７】
請求項２に記載の発明は、請求項１に記載の発明において、係止溝はストッパーの見込み壁に設けてあると共に係止突起はケースの見込み壁に設けてあり、ストッパーの見込み壁には係止溝に連続し且つストッパーの一方側端部に開口した引戸開閉方向に長い案内溝を有し、ストッパーをケース内に組み込むときに案内溝の開口を係止突起の挿入口としてあることを特徴とする。
【発明の効果】
【０００８】
請求項１に記載の発明によれば、ストッパーが突出して障子当接部になっているときにストッパーの一方側端部に戸が当ってストッパーの一方側端部が力を受けると、ストッパーが受けた力は、垂直軸と係止突起との２箇所で受ける。したがって、ストッパーが受けた力が一箇所に集中して損傷するのを防止できる。
ストッパーが受けた力が一箇所に集中しないから特別に強度の高い材質を用いる必要がないので、製造コストを安価にできる。
ストッパーを垂直軸によりケース内に軸着すると共に、ケース又はストッパーに溝や突起を形成するだけであるから、小型で構成が簡易であり且つ組立てが容易である。
【０００９】
請求項２に記載の発明によれば、請求項１に記載の発明と同様な作用効果を奏すると共に、ストッパーをケース内に組み込むときには、ストッパーの見込み壁に設けてある案内溝の開口から係止突起を挿入して、ケース内に組み付けできるので、組立てが容易である。
【発明を実施するための最良の形態】
【００１０】
以下に、添付図面を参照して本発明の実施の形態を説明する。図１は本実施の形態にかかるサブロック装置を装着した引戸サッシの横断面図であり、ストッパーが室内側に突出した状態を示す図であり、図２（ａ）は本実施の形態にかかるサブロック装置を装着した引戸サッシを図１のＡ―Ａ位置で切断した断面図であり、（ｂ）は本実施の形態にかかるサブロック装置を装着した引戸サッシを室内側から見た正面図であり、図３は本実施の形態にかかるサブロック装置のケースの図であり、（ａ）は正面図、（ｂ）は（ａ）に示すＢ―Ｂ位置で切断した断面図であり、図４は本実施の形態にかかるサブロック装置のストッパーの図であり、（ａ）は平面図、（ｂ）は横断面図であり、図５は本実施の形態にかかるサブロック装置を装着した引戸サッシの横断面図であり、ストッパーが室内側に突出していない状態を示す図である。尚、図１及び図５において一点鎖線で示すのストッパーの上見込み壁部分を抜き出して示す横断面図である。
本実施の形態にかかるサブロック装置１は、室外側引戸３の下框７の室内側面において、召合せ框５に近接した位置に固定してあり、不法侵入者により鍵やクレセント（メインロック）が外された場合でも室外側引戸３及び室内引戸４が開くのを制限するものである。
このサブロック装置１は、ストッパー９と、ケース１１と、垂直軸１３とを備えており、ケース１１は室外側引戸３の下框７に固定してある。
ケース１１にはストッパー収納部１９が設けてある。ストッパー収納部１９は、内周側に上見込み壁２１と、下見込み壁２３と、上見込み壁２１と下見込み壁２３との間に設けた一方側壁２５及び他方側壁２７とを有し、室内側が開口した縦断面略矩形の空間を成している。一方側壁２５は引戸の開閉方向一方側にあり、他方側壁２７は開閉方向の他方側にある。
上見込み壁２１及び下見込み壁２３には、一方側壁２５と他方側壁２７との間の略中央部に垂直軸１３の取付け孔２９、２９が設けてあり、取付け孔２９、２９よりも一方側壁２５側には、各々収納空間内側に突出する係止突起３１、３１が設けてある。
ストッパー９はケース１１のストッパー収納部１９内に配置してあり、引戸の開閉方向一方側にある一方側端部３３と他方側にある他方側端部３４との間の中間部３５を垂直軸１３によりケース１１内に軸着して一方側端部３３をケース外に突出自在としてある。ストッパー９の他方側端部３４は、操作部となっており、他方側端部３４を指先で没することにより一方側端部３３がケース１１から突出自在としてある。
ストッパー９には、外周にケース１１の上見込み壁２１に対向する上見込み壁面３７と、ケース１１の下見込み壁３９が設けてある。ストッパー９の上見込み壁３７及び下見込み壁３９には、各々係止突起３１が入り込む係止溝４１が室内外方向に長く設けてあると共に係止溝４１には案内溝４３が連続して設けてある。案内溝４３は、ストッパー９の一方側端部３３に開口して且つ引戸開閉方向に設けてあり、ストッパ−９の一方側端部３３の開口から案内溝４３に係止突起３１を係合自在になっている。
ストッパー９の一方側端部３３がケース１１から突出したときに、係止突起３１は係止溝４１を構成している溝壁のうちの室外側溝壁４５に当接する。尚、本実施の形態では、係止突起３１は係止溝４１と案内溝４３とが成すコーナに位置している。
【００１１】
次に、本実施の形態にかかるサブロック装置１の組立て、作用及び効果について説明する。
サブロック装置１の組立ては、ケース１１とストッパー９と軸１３との構成部品において、ストッパー９の案内溝４３の開口４３ａからケース１１の係止突起３１を挿入してケースのストッパー収納部１９内にストッパー９を組み入れ、係止突起３１を案内溝４３から係止溝４１に移動させて係止突起３１を係止溝４１に係合すると共にストッパー９をケース１１のストッパー収納部１９内に配置し、ケース１１とストッパー９を垂直軸１３で固定する。
サブロック装置１は使用しない場合には、図５に示すように、ストッパー９がケース１１のストッパー収納部１９内に収まっており、引戸の走行の邪魔にならない。
サブロック装置１を使用するときには、室内側からストッパー９の他方側端部３４を指先でケース１１内に没する。これにより、図１に示すように、ストッパー９は、垂直軸１３を中心にして回動し、一方側端部３３がケース１１から室内側に突出する。突出した一方側端部３３は、室内側引戸４の移動軌跡上に位置して障子当接部となり、係止突起３１は係止溝４１の室外側溝壁４５に当接する。
【００１２】
本実施の形態によれば、例えば、不正解錠等によりメインロックやクレセントが外されて、室外側引戸３又は室内側引戸４が引かれると、ケースから室内側に突出しているストッパー９の一方側端部３３に戸が当って、室外側引戸３及び室内側引戸４が移動するのを制限する。このとき、ストッパー９の一方側端部３３が引戸の当接により力を受けるが、ストッパー９が受けた力は、垂直軸１３が受けると共に、係止溝４１の室外側溝壁４５に当接している係止突起３１も受ける。したがって、ストッパー９に作用する力を垂直溝１３と上下の係止突起３１とで、合計２箇所に分散するので、一箇所に力が集中して損傷するのを防止できる。
ストッパー９が受けた力が一箇所に集中しないから特別に強度の高い材質を用いる必要がないので、製造コストを安価にできる。
また、サブロック装置１は、ストッパー９を垂直軸１３によりケース１１内に軸着してあり、ケース１１又はストッパー９に係止溝４１や突起３１を形成するだけであるから、構成が簡易であり且つ組立てが容易である。
サブロック装置１の組立て時には、ストッパー９の案内溝４３の開口４３ａからケース１１の係止突起３１を挿入して、係止突起３１を案内溝４３から係止溝４１に移動させてストッパー９をケース１１のストッパー収納部１９内に配置できるので、組み立てが容易である。
【００１３】
本発明は、上述した実施の形態に限らず、本発明の要旨を逸脱しない範囲で種々変形可能である。
例えば、係止突起３１をストッパー９に設けて係止溝４１をケース１１に設けるものであってもよい。
サブロック装置１は、上框に取付けるものであってもよく、取付け位置は制限されない。
また、サブロック装置１は、例えば換気用に引戸を少しだけ開くときに、開き位置を制限するものであってもよく、使用目的は制限されない。
請求項１に記載の発明においては、案内溝４３を設けないで係止溝４１のみとしてもよい。
【図面の簡単な説明】
【００１４】
【図１】本実施の形態にかかるサブロック装置を装着した引戸サッシの横断面図である。
【図２】（ａ）は本実施の形態にかかるサブロック装置を装着した引戸サッシを図１のＡ―Ａ位置で切断した断面図であり、（ｂ）は本実施の形態にかかるサブロック装置を装着した引戸サッシを室内側から見た正面図である。
【図３】本実施の形態にかかるサブロック装置のケースの図であり、（ａ）は正面図、（ｂ）は（ａ）に示すＢ―Ｂ位置で切断した断面図である。
【図４】本実施の形態にかかるサブロック装置のストッパーの図であり、（ａ）は平面図、（ｂ）は横断面図である。
【図５】本実施の形態にかかるサブロック装置を装着した引戸サッシの横断面図であり、ストッパーが室内側に突出していない状態を示す図である。
【符号の説明】
【００１５】
１      サブロック装置
９      ストッパー
１１    ケース
１３    垂直軸
１９    収納部
２１    上見込み壁（ケース側）
２３    下見込み壁（ケース側）
３１    係止突起
３３    一方側端部
３４    他方側端部
３７    上見込み壁（ストッパー側）
３９    下見込み壁（ストッパー側）
４１    係止溝
４３    案内溝
４３ａ  開口
４５    室外側溝壁
【図１】
2006241871.tif 000003
【図２】
2006241871.tif 000004
【図３】
2006241871.tif 000005
【図４】
2006241871.tif 000006
【図５】
2006241871.tif 000007